(57)【要約】【課題】  本発明の目的は、地中に埋設されるガス配管などの配管を分岐するための分岐用管継手に対して、簡単な構造で良好に水等の浸入を防止し保護することができ、更に、簡単に敷設することができる保護構造、及び、その敷設方法を提供する点にある。【解決手段】  第１の配管１に対して第２の配管２を分岐接続する分岐用管継手１０の保護構造２０において、第１の配管１を外囲する筒状の第１の筒状部２２と、第１の筒状部２２から分岐し第２の配管２を外囲する筒状の第２の筒状部２３とで構成された本体部材２１と、第１の筒状部２２の両端と第２の筒状部２３の端部に開口する夫々の開口端部２２ａ，２２ｂ，２３ａに設けられ、開口端部２２ａ，２２ｂ，２３ａから配管１，２の外表面に渡る開放部を覆う環状のカバー部材２４とを備えると共に、第１の筒状部２２の内径Ｄが、分岐用管継手１０の長さＨ以上に設定されている。【選択図】        図３
2006162037.tif 000002
【特許請求の範囲】
【請求項１】
第１の配管に対して第２の配管を分岐接続する分岐用管継手の保護構造であって、
前記第１の配管を外囲する筒状の第１の筒状部と、前記第１の筒状部から分岐し前記第２の配管を外囲する筒状の第２の筒状部とで構成された本体部材と、
前記第１の筒状部の両端と前記第２の筒状部の端部に開口する夫々の開口端部に設けられ、前記開口端部から前記配管の外表面に渡る開放部を覆う環状のカバー部材とを備えると共に、
前記本体部材の前記第１の筒状部の内径が、前記第１の配管の管軸に対して直交する方向における前記分岐用管継手の長さ以上に設定されている分岐用管継手の保護構造。
【請求項２】
前記カバー部材が、前記開口端部に外嵌される筒状の本体側接続部と、前記配管に外嵌される筒状の配管側接続部と、前記本体側接続部と前記配管側接続部との間を連接するテーパー状のテーパー部とからなる請求項１に記載の分岐用管継手の保護構造。
【請求項３】
前記カバー部材が、軟質プラスチック製である請求項２に記載の分岐用管継手の保護構造。
【請求項４】
前記配管が、地中に埋設される可撓性のガス配管である請求項１〜３の何れか一項に記載の分岐用管継手の保護構造。
【請求項５】
第１の配管に対して第２の配管を分岐接続する分岐用管継手に対して、請求項１から４に記載の分岐用管継手の保護構造を敷設する保護構造敷設方法であって、
前記分岐用管継手に対して前記第１の配管及び前記第２の配管を取り外した状態で、夫々のカバー部材を、前記第１の配管の上流側と下流側及び前記第２の配管側に、前記配管を挿入させる形態で取り付けると共に、前記本体部材を、前記第１の配管の上流側又は下流側に、前記第１の筒状部に前記第１の配管を挿入させる形態で取り付けて、前記本体部材を前記分岐用管継手が取り付けられる接続部から退避させておき、
前記分岐用管継手に対して前記第１配管の上流側及び下流側を接続すると共に前記第２配管を取り外した状態で、前記退避させておいた前記本体部材を前記分岐用管継手側にスライドさせ、
前記分岐用管継手に対して前記本体部材の第２筒状部を通して前記第２の配管を接続し、
夫々の前記カバー部材を、前記本体部材の開口端部に接続する分岐用管継手の保護構造敷設方法。
【請求項６】
前記本体部材の開口端部と前記カバー部材との間に、水の浸入を防止するための防水テープを巻き付ける請求項５に記載の分岐用管継手の保護構造敷設方法。
【発明の詳細な説明】
【技術分野】
【０００１】
本発明は、第１の配管に対して第２の配管を分岐接続する分岐用管継手の保護構造、及び、その保護構造を敷設する保護構造敷設方法に関する。
【背景技術】
【０００２】
家庭等にガスを供給するためのガス配管としては、近年、狭い部分でも容易に敷設し、配管作業時間を短縮するために、内部にガスが流通するステンレス製等のフレキシブル管をポリエチレン製等のＣＤ管(Ｃｏｍｂｉｎｅｄ  Ｄｕｃｔ：合成樹脂製可撓管の一種)に挿入した形態の可撓性の配管が用いられる場合がある。
【０００３】
そして、このようなガス配管は、ガス供給箇所を増設するために、例えば地中に埋設される部分などで、分岐用管継手を用いて分岐させる場合がある。
【０００４】
上記のようなガス配管などの配管を分岐させるための分岐用管継手は、Ｔ形管継手等として知られており、第１の配管の切断部において、その第１の配管と交差する形態で上記第２の配管を接続するように構成されている。
【０００５】
分岐用管継手により配管を分岐させる場合、特に地中に埋設される配管の部分でガス配管を分岐させる場合には、その分岐用管継手による接続部の腐食や衝撃による破損等を防止するために、その分岐用配管継手と外部と隔離して保護する保護構造を敷設する場合がある。
【０００６】
そこで、分岐用管継手の保護構造として、分岐用管継手に接続された夫々の配管の管軸を通る平面を境界として上下二分割可能に構成されたカバー本体で、分岐用管継手を上下から挟み込み、そのカバー本体の上下を組み合わせて形成されるねじ部に、夫々の配管側に設けられたキャップ螺合して、カバー本体の上下を固定するように構成された保護構造が知られている（例えば、特許文献１を参照。）。
【０００７】
【特許文献１】実開平７−３５８７９号公報
【発明の開示】
【発明が解決しようとする課題】
【０００８】
上記の特許文献１に記載の保護構造では、カバー本体が上下二分割可能な構成であるので、比較的広範囲に渡って外部に曝される分割部を有し、その分割部における水等の浸入を防止するために、その分割部にシール材を介在させるという複雑な構成を採用する必要がある。そして、このような複雑な構造は、高コスト化の要因となり、更には、この分割部にシール材を介在させるための煩雑な作業が必要となる。
また、上下に分割可能なカバー本体や、そのカバー部材の分割部に介在されたシール材は、経年変化等により僅かに変形した場合でも、その分割部に隙間が形成され易いため、その隙間によるカバー部材内への水等の浸入が懸念される。
【０００９】
本発明は、上記の課題に鑑みてなされたものであり、その目的は、地中に埋設されるガス配管などの配管を分岐するための分岐用管継手に対して、簡単な構造で良好に水等の浸入を防止し保護することができ、更に、簡単に敷設することができる保護構造、及び、その敷設方法を提供する点にある。
【課題を解決するための手段】
【００１０】
上記目的を達成するための本発明に係る分岐用管継手の保護構造は、第１の配管に対して第２の配管を分岐接続する分岐用管継手の保護構造であって、
その第１特徴構成は、前記第１の配管を外囲する筒状の第１の筒状部と、前記第１の筒状部から分岐し前記第２の配管を外囲する筒状の第２の筒状部とで構成された本体部材と、
前記第１の筒状部の両端と前記第２の筒状部の端部に開口する夫々の開口端部に設けられ、前記開口端部から前記配管の外表面に渡る開放部を覆う環状のカバー部材とを備えると共に、
前記本体部材の前記第１の筒状部の内径が、前記第１の配管の管軸に対して直交する方向における前記分岐用管継手の長さ以上に設定されている点にある。
【００１１】
上記第１特徴構成によれば、上記分岐用管継手に対して、簡単な構造で良好に水等の浸入を防止し保護することができ、更に、簡単に敷設することができる保護構造を実現することができる。
【００１２】
即ち、上記本体部材を、上記第１の筒状部と上記第２の筒状部とで構成された比較的簡単な構成とする共に、その第１の筒状部の内径を、第１の配管の管軸に対して直交する方向における上記分岐用管継手の長さ以上に設定することで、その本体部材を第１の配管の上流側又は下流側に分岐用管継手により接続される接続部から退避させた形態で予め取り付けておき、後に、分岐用管継手に対して第１の配管の上流側及び下流側を接続すると共に第２の配管を取り外した状態で、その退避させておいた本体部材を、第１の筒状部の中を分岐用管継手が通過する形態で、分岐用管継手側にスライドさせて、簡単に分岐用管継手を保護する位置に敷設することができる。
【００１３】
更に、上記カバー部材を備えることで、上記本体部材の開口端部と夫々の配管の外表面との間に形成された開放部を覆って、分岐用管継手側への水等の侵入を防止することができ、更に、上記カバー部材の配管の外表面に当接する部分に対して本体部材の開口端部に当接する部分の姿勢が維持されることから、配管に対して本体部材を良好に支持することができる。
【００１４】
本発明に係る分岐用管継手の保護構造の第２特徴構成は、前記カバー部材が、前記開口端部に外嵌される筒状の本体側接続部と、前記配管に外嵌される筒状の配管側接続部と、前記本体側接続部と前記配管側接続部との間を連接するテーパー状のテーパー部とからなる点にある。
【００１５】
上記第２特徴構成によれば、上記カバー部材を上記本体側接続部と上記配管側接続部との間を上記テーパー部により連接する形状とすることで、その比較的変形し難いテーパー部により、配管が挿入されるその外表面に当接する配管側接続部に対して本体部材の開口端部が挿入されその外表面に当接する本体側接続部の姿勢を一層良好に維持することができ、配管に対して本体部材を一層良好に支持することができる。
【００１６】
本発明に係る分岐用管継手の保護構造の第３特徴構成は、前記カバー部材が、軟質プラスチック製である点にある。
【００１７】
上記第３特徴構成によれば、上記カバー部材を軟質プラスチック製とすることで、上記カバー部材の本体側接続部へ本体部材の開口端部を締り嵌め状態等で嵌入したり、上記カバー部材の配管接続部へ配管を締り嵌め状態等で嵌入して、分岐用管継手側への水等の侵入を良好に防止しながら、その嵌入作業を容易なものとすることができる。
【００１８】
本発明に係る分岐用管継手の保護構造の第４特徴構成は、前記配管が、地中に埋設される可撓性のガス配管である点にある。
【００１９】
上記第４特徴構成によれば、地中に埋設される可撓性のガス配管をガス供給箇所の増設等の目的で分岐する分岐用管継手に対しても、上述した簡単な構造の保護構造を簡単に敷設することができる。
【００２０】
本発明に係る分岐用配管継手の保護構造敷設方法は、第１の配管に対して第２の配管を分岐接続する分岐用管継手に対して、上述した第１乃至第４特徴構成の分岐用管継手の保護構造を敷設する保護構造敷設方法であって、その特徴構成は、前記分岐用管継手に対して前記第１の配管及び前記第２の配管を取り外した状態で、夫々のカバー部材を、前記第１の配管の上流側と下流側及び前記第２の配管側に、前記配管を挿入させる形態で取り付けると共に、前記本体部材を、前記第１の配管の上流側又は下流側に、前記第１の筒状部に前記第１の配管を挿入させる形態で取り付けて、前記本体部材を前記分岐用管継手が取り付けられる接続部から退避させておき、
前記分岐用管継手に対して前記第１配管の上流側及び下流側を接続すると共に前記第２配管を取り外した状態で、前記退避させておいた前記本体部材を前記分岐用管継手側にスライドさせ、
前記分岐用管継手に対して前記本体部材の第２筒状部を通して前記第２の配管を接続し、
夫々の前記カバー部材を、前記本体部材の開口端部に接続する点にある。
【００２１】
即ち、上述した第１乃至第４特徴構成の保護構造は、その第１の筒状部の内径が、第１の配管の管軸に対して直交する方向における上記分岐用管継手の長さ以上に設定されているので、本特徴構成の敷設方法により、その本体部材を第１の配管の上流側又は下流側に分岐用管継手により接続される接続部から退避させた形態で予め取り付けておき、後に、分岐用管継手に対して第１の配管の上流側及び下流側を接続すると共に第２の配管を取り外した状態で、その退避させておいた本体部材を、第１の筒状部の中を分岐用管継手が通過する形態で、分岐用管継手側にスライドさせて、簡単に分岐用管継手を保護する位置に敷設することができる。
【００２２】
更に、分岐用環継手側にスライドさせた本体部材にカバー部材を接続することで、そのカバー部材により上記本体部材の開口端部と夫々の配管の外表面との間に形成された開放部を覆って、分岐用管継手側への水等の侵入を防止することができ、更に、上記カバー部材の配管の外表面に当接する部分に対して本体部材の開口端部に当接する部分の姿勢が維持されることから、配管に対して本体部材を良好に支持することができる。
【００２３】
本発明に係る分岐用配管継手の保護構造敷設方法の更なる特徴構成は、前記本体部材の開口端部と前記カバー部材との間に、水の浸入を防止するための防水テープを巻き付ける点にある。
【００２４】
即ち、上記本体部材の開口端部とカバー部材との間には、上記のように防水テープを巻き付けることにより、その間を介して分岐用管継手側に水が浸入することを確実に防止することができ、更には、その防水テープにより、本体部材の開口端部とカバー部材との接続を一層強固なものとすることができる。
【発明を実施するための最良の形態】
【００２５】
本発明に係る分岐用管継手の保護構造及びその敷設方法の実施の形態について、図面に基づいて説明する。
尚、図１には、分岐用管継手に対して保護構造を敷設した状態を示し、図２〜図４には、その分岐用配管継手に対する保護構造の敷設方法の流れを示す。
【００２６】
図１に示すように、第１の配管１に対して第２の配管２を分岐接続する分岐用管継手１０は、第１の配管１を切断してなる第１の配管１の上流側１ａと下流側１ｂとを、互いに直線上で対向するように接続すると共に、その接続部において、その第１の配管１と交差（例えば直交）する形態で上記第２の配管２を接続するように構成されている。
【００２７】
また、分岐用管継手１０は、第１の配管１の上流側１ａと下流側１ｂに対しては、それらを差し込むだけで容易に接続可能なメカニカル継手として構成され、第２の配管２に対しては、それを差し込むだけで接続可能なプラグ１１を螺合させることで接続するように構成されており、第１の配管１に対して１つの第２の配管２を直角に接続する場合には、その分岐用管継手１０は、所謂Ｔ形の管継手として構成される。
【００２８】
第１の配管１及び第２の配管２は、地中に埋設される可撓性のガス配管であり、このガス配管は、例えば、内部にガスが流通するステンレス製等のフレキシブル管をポリエチレン製等のＣＤ管に挿入した形態で構成されている。
【００２９】
そして、このような分岐用管継手１０に対して敷設され、その分岐用管継手１０による接続部の水の浸入による腐食や衝撃による破損等を防止するための保護構造２０は、本体部材２１とカバー部材２４とを備えており、その詳細構造について、以下に説明する。
【００３０】
上記本体部材２１は、第１の配管１を外囲する筒状の第１の筒状部２２と、第１の筒状部２２から分岐し第２の配管２を外囲する筒状の第２の筒状部２３とで構成された比較的簡単な構成とされている。このような本体部材２１としては、日本工業規格（ＪＩＳ  Ｋ６７３９）に規定される「排水用硬質塩化ビニル管継手」の「９０°Ｙ」形状のものを使用することができる。
【００３１】
更に、上記本体部材２１の第１の筒状部２２の内径Ｄが、第１の配管１の管軸に対して直交する方向（以下、直交方向と呼ぶ。）における分岐用管継手１０の長さＨ以上に設定されている。
【００３２】
従って、詳細については後述するが、分岐用管継手１０に対して保護構造２０を敷設する際に、図２に示すように、本体部材２１を第１の配管１の上流側１ａ又は下流側１ｂに分岐用管継手１０により接続される接続部から退避させた形態で予め取り付けておき、後に、図３に示すように、分岐用管継手１０に対して第１の配管１の上流側１ａ及び下流側１ｂを接続すると共に第２の配管２を取り外した状態で、その退避させておいた本体部材２１を、第１の筒状部２２の中を分岐用管継手１０が通過する形態で、分岐用管継手１０側にスライドさせて、簡単に分岐用管継手１０を保護する位置に敷設することができる。
【００３３】
更に、本体部材２１の第１の筒状部２２の内径Ｄの半径ｄを、上記直交方向における分岐用管継手１０の第１の配管１の管軸から第２の配管２が接続される側の端部までの長さｈよりも小さく設定すれば、第１の筒状部２２の筒軸と第１の配管１の管軸とが一致した状態で、分岐用管継手１０の第２の配管２が接続される側の端部が、第２の筒状部２３の中に挿入された状態となるので、作業者の手が第２の筒状部２３を介して分岐用管継手１０に届きやすくなり、その分岐用管継手１０への第２の配管２の着脱が容易となる。
【００３４】
上記カバー部材２４は、第１の筒状部２２の両端に開口する開口端部２２ａ，２２ｂと、第２の筒状部２３の端部に開口する開口端部２３ａの夫々に設けられており、その夫々のカバー部材２４は、開口端部２２ａ，２２ｂ，２３ａから配管１，２の外表面に渡る開放部を覆う環状に形成されている。よって、このカバー部材２４により上記開放部が覆われて、分岐用管継手１０側への水等の侵入が防止される。更に、上記カバー部材２４の配管１，２の外表面に当接する部分に対して本体部材２１の開口端部２２ａ，２２ｂ，２３ａに当接する部分の姿勢が維持されることから、配管１，２に対して本体部材２１が良好に支持される。
【００３５】
更に、このカバー部材２４は、開口端部２２ａ，２２ｂ，２３ａに外嵌される筒状の本体側接続部２５と、配管１，２に外嵌される筒状の配管側接続部２６と、それら本体側接続部２５と配管側接続部２６との間を連接するテーパー状（即ち、円錐状に直径が次第に減少している状態）のテーパー部２７とからなる。よって、テーパー部２７が比較的変形し難いことにより、配管１，２が挿入されその配管１，２の外表面に当接する配管側接続部２６に対して本体部材２１の開口端部２２ａ，２２ｂ，２３ａが挿入されその開口端部２２ａ，２２ｂ，２３ａの外表面に当接する本体側接続部２５の姿勢が良好に維持され、配管１，２に対して本体部材２１が一層良好に支持される。
【００３６】
また、カバー部材２４の本体側接続部２５の内径は、本体部材２１の開口端部２２ａ，２２ｂ，２３ａの外径と、同寸法又は若干小さい寸法に設定されており、この本体側接続部２５へ、開口端部２２ａ，２２ｂ，２３ａが嵌入される。
同じく、カバー部材２４の配管側接続部２６の内径は、配管１，２の外径と、同寸法又は若干小さい寸法に設定されており、この配管側接続部２６へ、配管１，２が嵌入されることになる。
【００３７】
更に、上記カバー部材２４は、軟質塩化ビニル等の軟質プラスチック製であるので、本体側接続部２５への開口端部２２ａ，２２ｂ，２３ａの嵌入作業、及び、配管接続部２６への配管１，２の嵌入作業が、容易なものとなり、更に、それらの嵌入部を締まり嵌め状態として、嵌入部の隙間をできるだけ小さくし、分岐用管継手１０側への水等の侵入が良好に防止されている。
【００３８】
更に、本体部材の開口端部２２ａ，２２ｂ，２３ａとカバー部材２４の本体側接続部２５との間には、水の浸入を防止するための防水テープ２８が巻き付けられており、それにより、分岐用管継手１０側への水等の侵入が一層良好に防止されている。
また、この防水テープ２８の損傷を防止するために、図示は省略するが、その防水テープ２８の上から、自己収縮テープを巻きつけても構わない。
【００３９】
次に、分岐用管継手１０に対して保護構造２０を敷設する保護構造敷設方法の詳細について、図２〜図４に基づいて説明する。
【００４０】
先ず、図２に示すように、分岐用管継手１０に対して第１の配管１及び第２の配管２を取り外した状態で、夫々のカバー部材２４を、第１の配管１の上流側１ａと下流側１ｂ及び第２の配管２側に、配管１，２を配管側接続部２６に挿入させる形態で取り付ける。
【００４１】
次に、本体部材２１を、第１の配管１の下流側１ｂ（上流側１ａでも構わない。）に、第１の筒状部２２に第１の配管１を挿入させる形態で取り付けて、更に、その本体部材２１を分岐用管継手１０が取り付けられる接続部が露出されるように該接続部から退避させておく。
【００４２】
次に、図３に示すように、分岐用管継手１０に対して第１配管１の上流側１ａ及び下流側１ｂを接続すると共に第２配管２を取り外した状態で、退避させておいた本体部材２１を、若干上方（第２の配管２側に向かう方向）に変位させた状態で、分岐用管継手１０側にスライドさせる。
ここで、本体部材２１の第１の筒状部２２の内径Ｄが分岐用管継手１０の長さＨ以上に設定されているので、分岐用管継手１０を容易に本体部材２１の第１の筒状部２２の中を通過させることができる。
【００４３】
次に、図４に示すように、分岐用管継手１０に対して本体部材２１の第２の筒状部２３を通して第２の配管２を接続する。ここで、本体部材２１の第２の筒状部２３の内径は、第２の配管２の接続を容易に行うことができる大きさに設定されている。
【００４４】
更に、本体部材２１の第１の筒状部２２の内径Ｄの半径ｄは、上記直交方向における分岐用管継手１０の第１の配管１の管軸から第２の配管２が接続される側の端部までの長さｈよりも小さく設定されているので、分岐用管継手１０の第２の配管２が接続される側の端部が第２の筒状部２３の中に挿入された状態となり、その分岐用管継手１０への第２の配管２の着脱が容易となる。
【００４５】
次に、夫々のカバー部材２４を、本体部材２２の開口端部２２ａ，２２ｂ，２３ａ側にスライドさせて、そのカバー部材２４の本体側接続部２５を開口端部２２ａ，２２ｂ，２３ａに外嵌させて接続し、夫々の開口端部２２ａ，２２ｂ，２３ａと本体側接続部２５との間を塞ぐように適宜上述した防水テープ２８を巻き付けて、分岐用管継手１０に対する保護構造２０の敷設が完了する。
【００４６】
上記実施の形態では、本発明に係る保護構造２０を、第１の配管１に対して１つの第２の配管２を分岐接続する分岐用管継手に対して適用したが、別に、本発明に係る保護構造２０は、第１の配管１に対して例えば２つの第２の配管２を分岐接続する十字形の分岐用管継手に対して適用しても構わない。尚、この場合には、本体部材が、第１の筒状部と第２の筒状部とが十字に交差した形状となり、夫々の筒状部の両端に形成された４つの開口端部にカバー部材が設けられることになる。
【００４７】
上記実施の形態では、カバー部材２４を、本体側接続部２５と配管側接続部２６との間をテーパー部２７で連接するように構成したが、このテーパー部２７を、第１の配管１の管軸と直交する環状部として構成しても構わない。
【産業上の利用可能性】
【００４８】
本発明は、特に地中に埋設されるガス配管などの配管を分岐するための分岐用管継手に対して、簡単な構造で良好に水等の浸入を防止し保護し、更に、簡単に敷設する保護構造、及び、その敷設方法として適用可能である。
【図面の簡単な説明】
【００４９】
【図１】分岐用管継手の保護構造の概略構成図
【図２】分岐用管継手の保護構造の敷設方法を説明する図
【図３】分岐用管継手の保護構造の敷設方法を説明する図
【図４】分岐用管継手の保護構造の敷設方法を説明する図
【符号の説明】
【００５０】
１：第１の配管
２：第２の配管
１０：分岐用管継手
２０：保護構造
２１：本体部材
２２：第１の筒状部
２３：第２の筒状部
２２ａ，２２ｂ，２３ａ：開口端部
２４：カバー部材
Ｄ：第１筒状部の内径
Ｈ：分岐用管継手の長さ
【図１】
2006162037.tif 000003
【図２】
2006162037.tif 000004
【図３】
2006162037.tif 000005
【図４】
2006162037.tif 000006